(57)【要約】【課題】複数色の化粧料を自由に調色することができるとともに、単色と混色、さらには用途毎の使用領域を確保することができる多色粉末化粧料中皿の提供。【解決手段】底部の周縁より立設する周壁によって化粧料を充填可能な収納部を形成し、一対の相対する周壁から収容部の中央方向へ少なくとも２つの仕切板が互い違い方向に突出して形成されている多色粉末化粧料中皿。【選択図】  図１
2014033714.tif 000002
【特許請求の範囲】
【請求項１】
底部の周縁より立設する周壁によって化粧料を充填可能な収納部を形成し、一対の相対する周壁から収容部の中央方向へ少なくとも２つの仕切板が互い違い方向に突出して形成されている多色粉末化粧料中皿。
【請求項２】
前記仕切板が２つであり、それら仕切板の中央方向への突出長さが異なっていることを特徴とする請求項１に記載の多色粉末化粧料中皿。
【請求項３】
前記２つの仕切板のうち、突出長さがより長い仕切板は、突出方向の相対する周壁までの距離のおよそ１／２まで突出するように形成されており、突出長さのより短い仕切板は、突出方向の相対する周壁までの距離のおよそ１／３の長さに形成されていることを特徴とする請求項２に記載の多色粉末化粧料中皿。
【請求項４】
前記収納部には４種類の化粧料が並んで配列され、該４種類の化粧料の両端に配列された化粧料とその化粧料と隣接する化粧料との間に前記２つの仕切板が設けられていることを特徴とする請求項１ないし請求項３のいずれかに記載の多色粉末化粧料中皿。
【発明の詳細な説明】
【技術分野】
【０００１】
本発明は、少なくとも３色の化粧料を充填するための中皿に関し、更に詳細には、収納部の一部に仕切板を設けることにより使用領域を明確に区別することができる多色粉末化粧料中皿に関する。
【背景技術】
【０００２】
従来、ひとつの化粧料中皿に複数色の粉末化粧料を充填する場合、中皿内に仕切板を設けることにより色ごとに化粧料を収容できる区画を形成して、その区画ごとに化粧料を充填する方法や、あるいは、かかる仕切板を全く設けることなく、ひとつの収納部に複数色の化粧料を互いに混じり合わないようにプレスなどで押し固めて充填する方法が知られている。
【０００３】
かかる多色からなる粉末化粧料は、実際の使用の場面においてそれら複数色からなる化粧料を互いに混ぜ合わせることによって自分の好みの色合いになるよう調色する必要がある。そこで、従来の仕切板を設けていない中皿では、収納部内の化粧料上で混合調色作業を行っていた。また、仕切板を設けたものは、仕切板で仕切られたいずれかの収納部内の化粧料上で調色したり、また、それらの化粧料収納部とは別に設けられた調色用のスペースで混合調色作業が行われたりしていた（特許文献１）。
【０００４】
しかしながら、従来の仕切板を設けていない中皿の場合、化粧料上のどの部分においても混合調色作業が可能なため、使用しているうちに単色部分と混色部分の境界が曖昧になって全域が同じように混ざり合い、単色部分が確保されない場合があった。
【０００５】
また、従来の仕切板を設けた中皿の場合は、仕切板のゆえに混合調色作業がしにくく、とりわけ、３色以上の化粧料の調合を微妙に増減させてオリジナルな調色の作業には不適切であった。さらに、かかる調色作業のための調色スペースを収納部とは別に設けたものは、調色ごとに使い切れなかった化粧料を廃棄する必要があったため、経済的ではなかった。
【０００６】
特に最近、アイカラー用化粧料とチークカラー用化粧料のように適用する部位が異なる多色粉末化粧料をひとつの中皿に充填するケースが多く、単色と混色の領域のみならず、アイカラー用とチーク用といった用途毎の使用領域も特定できる中皿が求められている。
【０００７】
【特許文献１】実公平０３−２５６９４
【発明の開示】
【発明が解決しようとする課題】
【０００８】
そこで本発明は、従来の多色粉末化粧料中皿のかかる欠点を克服し、少なくとも３色の化粧料を自由に調色することができるとともに、単色と混色、さらには、用途毎の使用領域を確保することができる多色粉末化粧料中皿の提供をその課題とするものである。
【課題を解決するための手段】
【０００９】
本発明は、上記課題を解決するものであり、底部の周縁より立設する周壁によって化粧料を充填可能な収納部を形成し、一対の相対する周壁から収容部の中央方向へ少なくとも２つの仕切板が互い違い方向に突出して形成されている多色粉末化粧料中皿である。
【発明の効果】
【００１０】
本発明にかかる多色粉末化粧料中皿は、収納部に充填された複数色の化粧料を仕切板によって互いに完全に区切るのではなく、一部のみを区切ることにより、使用し続けても単色と混色用のスペースの区別を維持することができる。
【００１１】
また、本発明にかかる多色粉末化粧料中皿は、少なくとも２つの仕切板が互い違いに設けられていることにより、アイカラー用やチーク用といった用途毎の使用領域を容易に特定することができる。
【図面の簡単な説明】
【００１２】
【図１】本発明の多色粉末化粧料中皿の平面図
【図２】本発明の多色粉末化粧料中皿のＡ−Ａ断面図
【図３】本発明の多色粉末化粧料中皿のＢ−Ｂ断面図
【図４】本発明の多色粉末化粧料中皿に充填された化粧料の使用方法の一例を模式的にあらわしたもの
【図５】本発明の多色粉末化粧料中皿にアイカラー用とチークカラー用の化粧料を充填した場合の使用方法の一例を模式的にあらわしたもの
【発明を実施するための形態】
【００１３】
以下、本発明の多色粉末化粧料中皿の実施態様を、図面に基づいて具体的に説明する。なお、本発明はこれら実施態様に何ら制約されるものではない。
【００１４】
図１は本発明の多色粉末化粧料中皿の平面図、図２は同Ａ−Ａ断面図、図３は同Ｂ−Ｂ断面図である。図中、１は中皿、１１は周壁、１２は底部、１３は収納部、１４は仕切板、１５は仕切板、１６は充填用穴、１１１は凹部、１１２は凹部、１６１は鍔部をそれぞれ示す。
【００１５】
図に示すように、本発明の中皿１は、底部１２の周縁より立設する周壁１１によって内部に化粧料を充填可能な収納部１３を形成する有底容器である。本実施態様では、中皿１は平面視で矩形に形成されているが、形状はこれに限らず、正方形、円形、楕円形などに形成しても良い。
【００１６】
本発明の多色粉末化粧料中皿は、粉末化粧料が充填される収納部１３に少なくとも２つの仕切板が設けられ、本実施態様では２つの仕切板１４、１５が設けられている。図１に示すように、仕切板１４および１５は、一対の相対する周壁１１から収容部１３の中央方向へそれぞれ突出して形成されている。すなわち、図１では、仕切板１４が下辺にあたる周壁１１より、また、仕切板１５が上辺にあたる周壁１１より、互い違い方向に突出するように形成されている。図１ないし図３に示すように、仕切板１４、１５はいずれも周壁１１から連続して分岐するように形成されており、周壁１１の高さと同じ高さになるよう形成されている。
【００１７】
２つの仕切板の収容部１３の中央方向への突出長さは、単色で使用する領域と混色で使用する領域の配分や、実際に使用される塗布具のサイズなどを考慮して設定することができ、それぞれ同じ突出長さとすることも、異なる突出長さとすることもできる。本実施態様では、２つの仕切板の収容部１３の中央方向への突出長さが異なっており、具体的には、突出長さがより長い仕切板１４は、突出方向の相対する周壁１１までの距離のおよそ１／２程度まで突出するように形成されており、突出長さがより短い仕切板１５は、突出方向の相対する周壁１１までの距離のおよそ１／３程度の長さに形成されている。これらの仕切板の突出長さは特に制限はないが、より長く形成された仕切板の突出長さが突出方向の相対する周壁１１までの距離のおよそ１／２以下になるように形成することが好ましい。
【００１８】
また、底板１２には充填用穴１６が設けられている。充填用穴１６は、その半分が周壁１１の内壁にかかるようにして形成されており、周壁１１の内壁は充填用穴１６の開口に合わせて半円形に一部切り欠かれている。かかる周壁１１の切り欠き部の上端には半円形状の鍔部１６１が収納部１３内に突出して設けられている。本実施態様の中皿１への化粧料の充填は以下の通りである。まず、中皿１の裏側より充填用穴１６に充填用ノズルを挿入し、かかるノズルを介して溶融状態の化粧料を収納部１３内に充填する。このとき、充填用ノズルは中皿に対して垂直方向に向くため、充填時の化粧料の急激な流入により局部的な陥没、ひび割れ、色むら等が発生するおそれがあるが、充填用穴１６の上方に設けられた鍔部１６１によって化粧料の流入が分散され、化粧料の表面をより滑らかに且つ美しく仕上げることができる。なお、本発明の多色粉末化粧料中皿の充填方法はこれに限らず、従来公知の他の充填方法を採用することもできる。
【００１９】
図４は、本発明の多色粉末化粧料中皿に多色粉末化粧料を充填した状態を示す模式図である。本実施態様では、色が異なる４種類の化粧料ａ、ｂ、ｃ、ｄが並んで配列され、全部で４色になるよう構成されているが、例えばこれ以外にも、ｂとｃ部分を同一の種類として全部で３色としたり、ｂとｃの部分に更に異なる色の化粧料を加えて全部で５色以上としても良い。図に示すように、仕切板１４は左端に充填された化粧料ａと化粧料ａに隣接して配列された化粧料ｂとの境界に位置するように設けられており、一方、仕切板１５は右端に配列された化粧料ｄと化粧料ｄに隣接して配列された化粧料ｃとの境界に位置するように設けられている。なお、本実施態様では２つの仕切板１４、１５に挟まれる化粧料ｂとｃの間には仕切板は設けられていないが、化粧料ｂとｃの間に更に仕切板を設けても良い。
【００２０】
図４により、本実施態様における中皿１に充填された化粧料の使用方法のひとつを例示する。例えば、各化粧料を単色で使用したい場合は、ａないしｄと記載された部分を使用すればよい。そして、それらの単色として使用する領域を確保しつつ、それ以外にも図に示すように少なくとも６通りの組み合わせ（ａ＋ｂ、ａ＋ｂ＋ｃ、ａ＋ｂ＋ｃ＋ｄ、ｂ＋ｃ＋ｄ、ｂ＋ｃ、ｃ＋ｄ）の調色が可能となる。このように、本発明の多色粉末化粧料中皿は、２つの仕切板が互い違い方向に設けられているため、単色の領域と調色の領域との使い分けをより効果的に行うことができる。
【００２１】
また、図５は、本発明の多色粉末化粧料中皿にアイカラー用とチークカラー用の化粧料を充填した場合の使用方法のひとつを例示したものである。この使用例において、化粧料ａはアイカラー用化粧料であり、化粧料ｄはチークカラー用化粧料、化粧料ｂおよびｃはアイカラー及びチークカラー兼用化粧料である。このような配列で充填した場合、アイカラーとして使用する領域はＸの部分とし、チークカラーとして使用する領域はＹの部分とすることができる。すなわち、仕切板１４、１５が互い違いに突出して形成されているため、アイカラーとして使用する領域は、化粧料ａの仕切板１４が設けられていない部分から横に連続する化粧料ｂ、ｃに自ずと区画され、チークカラーとして使用する領域は、化粧料ｄの仕切板１５が設けられていない部分から横に連続する化粧料ｃ、ｂに自ずと区画されやすい。したがって、用途に応じて、使用領域を確保することが容易となる。なお、アイカラー用とチークカラー用の塗布具のサイズは異なっていることが一般的であり、通常はアイカラー用よりもチークカラー用の塗布具の塗布部は幅広のブラシタイプのため、本実施態様のように、チークカラー用化粧料ｄと化粧料ｃを仕切る仕切板１５をやや短めにすることで、化粧料ｄと化粧料ｃとの調色スペースを広めに確保でき、幅広の塗布具の使用が容易になる。  
【００２２】
また、アイカラー用とチークカラー用の化粧料の領域をより明確に区別するために、化粧料の表面にそれぞれ互いに識別可能な標識を設けてもよい。例えば、アイカラーゾーンには化粧料の表面に縞状の凹凸模様を形成し、チークカラーゾーンの化粧料には水玉の凹凸模様を形成するなどすれば、使用開始時にそれらの領域の区別がよりはっきりと認識できる。
【００２３】
本発明にかかる多色粉末化粧料中皿の具体的な使用方法としては以下の通りである。図４、５の化粧料の配列を例にとると、アイカラーとして、まず、化粧料ａ、ｂ、ｃを混合調色して塗布し、次に、その上から単色の化粧料ａを塗布して仕上げる。また、チークカラーとして、化粧料ｂ、ｃ、ｄを混合調色して塗布し、次に、その上から単色の化粧料ｄを塗布して仕上げる。以上を基本パターンとし、更に使用者の好みによって、各化粧料を調色して塗布することができる。    
【符号の説明】
【００２４】
１  …  …  中皿
１１  …  …  周壁
１２  …  …  底部
１３  …  …  収納部
１４  …  …  仕切板
１５  …  …  仕切板
１６  …  …  充填用穴
１１１  …  …  凹部
１１２  …  …  凹部
１６１  …  …  鍔部
【図１】
2014033714.tif 000003
【図２】
2014033714.tif 000004
【図３】
2014033714.tif 000005
【図４】
2014033714.tif 000006
【図５】
2014033714.tif 000007